(57)【要約】【課題】構造部材を大型化及び軽量化した場合であっても、所定の位置に配置した構造部材の安定性を高めることの容易な水貯留槽用の構造部材を提供する。【解決手段】構造部材１１の支持脚１３は、基台１２の表面に開口する有底筒状をなすとともに基端部から先端部に向かうにしたがって縮径するように形成されている。支持脚１３は、基台１２の両側部に設けられる第１及び第２側部支持脚２４、２５と、それら側部支持脚２４、２５の中間部に設けられる中央部支持脚２６とから構成されている。支持脚１３の先端部には、構造部材１１の複数を積み上げるに際して支持脚１３の先端部同士を嵌合する嵌合部２３が形成されている。嵌合部２３は、中央部支持脚２６の先端面の面積が第１側部支持脚２４の先端面の面積よりも大きく且つ第２側部支持脚２５の先端面の面積よりも大きくなるように構成されている。【選択図】図１
2008231681.tif 000002
【特許請求の範囲】
【請求項１】
基台と、該基台の裏面に立設され、前記基台を支持するための支持脚とを備え、積み上げた状態で複数配置されることにより、水貯留槽の貯留空間を確保するための水貯留槽用の構造部材であって、
前記支持脚は、前記基台の表面に開口する有底筒状をなすとともに基端部から先端部に向かうにしたがって縮径するように形成され、
前記支持脚は、前記基台の両側部において前記基台の両側縁に沿うように設けられる第１及び第２側部支持脚と、
該第１及び第２側部支持脚の中間部においてそれら側部支持脚に沿うように基台に設けられる中央部支持脚とから構成され、
前記支持脚の先端部において、前記構造部材における支持脚の先端面同士を突き合わせるようにして前記構造部材の複数を積み上げるに際してそれら支持脚の先端部同士を嵌合するための嵌合部は、前記第１側部支持脚の先端面の面積よりも大きく且つ第２側部支持脚の先端面の面積よりも大きい前記中央部支持脚の先端面の面積になるように構成されていることを特徴とする水貯留槽用の構造部材。
【請求項２】
前記中央部支持脚の嵌合部は、
一対の構造部材を前記基台の側部が隣り合うようにして配置してそれら構造部材に跨って構造部材を積み上げるに際して、前記一対の構造部材において隣り合う側部支持脚のいずれにも嵌合するように構成されていることを特徴とする請求項１に記載の水貯留槽用の構造部材。
【請求項３】
前記第１側部支持脚、前記第２側部支持脚及び前記中央部支持脚は、前記基台の両側縁に沿う複数の支持脚から構成されることで、前記構造部材が前記基台の平面を基準として複数の領域に区画され、それら各領域において略同一形状をなしていることを特徴とする請求項２に記載の水貯留槽用の構造部材。
【発明の詳細な説明】
【技術分野】
【０００１】
本発明は、積み上げた状態で複数配置して使用される水貯留槽用の構造部材に関する。
【背景技術】
【０００２】
人口が集中している地域では、建造物、アスファルト舗装等によって地面が覆われることにより、雨水等の地下への浸透が阻害されている。このような状況下では、集中豪雨の発生等によって、いわゆる都市型水害が発生し易い。また、河川の周辺の地域においても水害が発生し易い。そうした水害を防止する対策の一つとして、水貯留槽の設置が有効である。水貯留槽は、その槽内に雨水等を流入させることで、地中に多量の雨水等を一時的に貯留したり、貯留した雨水等を土壌へ浸透させたりする設備である。そうした水貯留槽の貯留空間は、複数の構造部材によって確保されている（例えば特許文献１参照）。こうした構造部材は、基台と同基台の裏面に立設された支持脚とを備え、複数の構造部材を積み上げることで貯留空間を確保するように構成されている。具体的には、基台の表面同士及び裏面同士を合わせるようにして積み上げることにより積層構造体を形成する。
【特許文献１】特開２００３−３１３９０４号公報
【発明の開示】
【発明が解決しようとする課題】
【０００３】
積層構造体の設置作業においては、所定の位置に配置した構造部材上を作業員が歩行しつつ、その構造部材上に、新たに構造部材を作業員が積み上げるといった作業が繰り返される。そうした一連の作業は、構造部材を大型化することにより、積層構造体を構成する構造部材の数を減少することができるため、効率化されるようになる。ところが、構造部材の大型化は単一の構造部材が占める容量を増大することができるものの、重量増を招くため、そうした構造部材の運搬及び配置は容易ではない。そこで、構造部材を大型化し、かつ軽量化することにより、積層構造体の設置作業について効率化及び省力化を図ることができる。しかしながら、構造部材の軽量化は、積み上げを終えた構造部材上を作業員が歩行するに際して、構造部材が所定の位置からずれ易くなる。特に、基台の裏面同士を合わせるようにして構造部材を積み上げる際には、支持脚の先端面同士を突き合わせた状態で構造部材を維持させる必要があるため、支持脚の先端部において過剰な位置ずれを回避する必要がある。また、構造部材の軽量化は、単一の構造部材について耐荷重性の低下を招き易く、単一の構造部材上に作業員が乗った際に、構造部材の中央部分が過剰に沈み込む虞がある。このように所定の位置に配置した構造部材が不安定であると、積層構造体の設置作業を円滑に行うことが困難となる。
【０００４】
この発明は、こうした実情に鑑みてなされたものであり、その目的は、構造部材を大型化及び軽量化した場合であっても、所定の位置に配置した構造部材の安定性を高めることの容易な水貯留槽用の構造部材を提供することにある。
【課題を解決するための手段】
【０００５】
上記の目的を達成するために請求項１に記載の発明は、基台と、該基台の裏面に立設され、前記基台を支持するための支持脚とを備え、積み上げた状態で複数配置されることにより、水貯留槽の貯留空間を確保するための水貯留槽用の構造部材であって、前記支持脚は、前記基台の表面に開口する有底筒状をなすとともに基端部から先端部に向かうにしたがって縮径するように形成され、前記支持脚は、前記基台の両側部において前記基台の両側縁に沿うように設けられる第１及び第２側部支持脚と、該第１及び第２側部支持脚の中間部においてそれら側部支持脚に沿うように基台に設けられる中央部支持脚とから構成され、前記支持脚の先端部において、前記構造部材における支持脚の先端面同士を突き合わせるようにして前記構造部材の複数を積み上げるに際してそれら支持脚の先端部同士を嵌合するための嵌合部は、前記第１側部支持脚の先端面の面積よりも大きく且つ第２側部支持脚の先端面の面積よりも大きい前記中央部支持脚の先端面の面積になるように構成されていることを要旨とする。
【０００６】
この構成によれば、積み上げを終えた構造部材がずれるという不具合は、各側部支持脚及び中央部支持脚の嵌合によって抑制される。また、基台の表面に開口する有底筒状をなすとともに基端部から先端部に向かうにしたがって縮径するように形成されている。そして中央部支持脚の先端面の面積は、第１側部支持脚の先端面の面積よりも大きく且つ第２側部支持脚の先端面の面積よりも大きい。こうした中央部支持脚によって、基台表面の中央部の耐荷重性を高めることができる。よって、単一の構造部材上に作業員が乗った際において、構造部材の中央部分における過剰な沈み込みが抑制される。
【０００７】
請求項２に記載の発明は、請求項１に記載の水貯留槽用の構造部材において、前記中央部支持脚の嵌合部は、一対の構造部材を前記基台の側部が隣り合うようにして配置してそれら構造部材に跨って構造部材を積み上げるに際して、前記一対の構造部材において隣り合う側部支持脚のいずれにも嵌合するように構成されていることを要旨とする。
【０００８】
この構成によれば、隣接して配置された状態の構造部材を跨ぐようにして別の構造部材を積み上げるに際して、いずれの嵌合部も嵌合させることができる。このため、構造部材が互い違いとなるように積み上げて積層構造体を形成することができる。
【０００９】
請求項３に記載の発明は、請求項２に記載の水貯留槽用の構造部材において、前記第１側部支持脚、前記第２側部支持脚及び前記中央部支持脚は、前記基台の両側縁に沿う複数の支持脚から構成されることで、前記構造部材が前記基台の平面を基準として複数の領域に区画され、それら各領域において略同一形状をなしていることを要旨とする。
【００１０】
この構成によれば、構造部材を領域毎に分割して使用することができる。ここで、隣接して配置された状態の構造部材を跨ぐようにして別の構造部材を積み上げることで、積層構造体の強度を高めるに際して、積み上げた構造体に隣接する部位おいて、分割した構造部材を配置することができる。
【発明の効果】
【００１１】
本発明によれば、構造部材を大型化及び軽量化した場合であっても、所定の位置に配置した構造部材の安定性を高めることが容易である。
【発明を実施するための最良の形態】
【００１２】
以下、本発明を具体化した一実施形態について図１〜図４に基づいて詳細に説明する。
図１（ａ）及び図１（ｂ）に示すように、水貯留槽用の構造部材１１は、平面四角形状の基台１２と、その基台１２の裏面に立設された支持脚１３とが樹脂材料より一体に成形されたものである。この構造部材１１は、地中において積層構造体を形成するために用いられる。具体的には、地面を掘削して形成した穴の底面に構造部材１１の表面を合わせるように配置した後に、基台１２の裏面同士と表面同士とを合わせるようにして構造部材１１を順次積み上げることで、積層構造体が形成される。このように形成された積層構造体は、水貯留槽の貯留空間を確保するとともに貯留空間上における地面を支持する機能を果たす。なお、以下の説明における両側部は、図１（ａ）及び図１（ｂ）に示される構造部材１１の基台１２において対向する第１側部１４及び第２側部１５をいう。
【００１３】
図１（ａ）に示すように、基台１２は、四角形状の枠を有する基板１６とその枠内の表面上に配設されるリブ１７とが一体に成形されたものである。基台１２の表面は、基板１６の枠とリブ１７とによって面一となるように形成されている。基板１６には、その表裏面に開口する貫通孔１６ａが複数貫設され、これら貫通孔１６ａは水の流路及び空気抜きとして機能する。また、基板１６には、その表面から突出する嵌合凸部１８が所定箇所に複数形成されるとともに、嵌合凸部１８の近傍には、その嵌合凸部１８が嵌合される嵌合凹部１９ａがリブ１７によって形成されている。嵌合凸部１８及び嵌合凹部１９ａは、基台１２の表面と別の基台１２の表面とを合わせるようにして構造部材１１を積み上げるに際して嵌合される。具体的には、構造部材１１は、その両側部を合わせるようにして積み上げる際に、嵌合凸部１８と嵌合凹部１９ａとが嵌合され、こうした嵌合により、基台１２の表面側において構造部材１１同士がずれるという不具合が抑制される。また、本実施形態の構造部材１１は、両側部が交差するようにして積み上げることもできる。こうした積み上げの場合には、嵌合凸部１８は、基板１６の所定箇所に形成された嵌合凹部１９ｂに嵌合させることができる。
【００１４】
支持脚１３は基板１６の表面に開口する有底四角筒状をなすとともに、基端部から先端部に向かうにしたがって縮径する四角錐台状に形成されている。こうした支持脚１３は、基台１２の四隅に立設された隅部脚２０と、基台１２の四側部の中間部に立設された中間脚２１と、基台１２の中央に立設された中央脚２２とから構成されている。本実施形態の中間脚２１は基台１２の一側部について二本設けられ、中央脚２２は四本設けられている。支持脚１３の基端部に接続されるリブ１７には、切り欠き部１７ａが形成され、こうした切り欠き部１７ａは水の流路及び空気抜きとして機能する。本実施形態の各支持脚１３は、側壁に貫通孔を設けずに、各支持脚１３の強度が高められている反面で、各支持脚１３の内部への水の流入が遅延することになる。上述した切り欠き部１７ａは、そうした各支持脚１３の内部への水の流入を促進するため、貯留空間への水の充填が円滑に行われるようになる。
【００１５】
隅部脚２０の先端部には、凹凸状をなす嵌合部２３が形成されている。この嵌合部２３は、複数の先端壁２３ａとそれら先端壁２３ａを段差状に連ねる立壁２３ｂとから構成されている。中間脚２１の先端部及び中央脚２２の先端部にも、隅部脚２０の嵌合部２３と同形状をなす嵌合部２３が形成されている。図２に示すように、それら嵌合部２３は、基台１２の裏面と別の基台１２の裏面とを合わせるようにして構造部材１１の複数を積み上げるに際して嵌合される。こうした嵌合により、積み上げを終えた構造部材１１がずれるという不具合が抑制される。
【００１６】
先端壁２３ａには、空気抜き等を目的として、貫通孔が形成されている。このように嵌合部２３に貫通孔を形成する場合には、嵌合部２３の強度を確保するという観点から、立壁２３ｂには貫通孔を形成せずに先端壁２３ａに貫通孔を形成することが好ましい。なお、本実施形態の立壁２３ｂは略垂直な面を形成しているため、積み上げられた構造部材１１に対して水平方向に沿って外力が加わった際に、立壁２３ｂの面同士が当接するため、嵌合状態が維持され易い。
【００１７】
図１（ａ）及び図１（ｂ）に示すように、第１側部１４には、隅部脚２０、中間脚２１、及び隅部脚２０が基台１２の側縁に沿って順に配列されることで、第１側部支持脚２４が構成されている。第２側部１５においても同様に、隅部脚２０、中間脚２１、及び隅部脚２０が基台１２の側縁に沿って順に配列されることで、第２側部支持脚２５が構成されている。
【００１８】
第１側部支持脚２４と第２側部支持脚２５との中間部には、それら側部支持脚２４、２５に沿うようにして中間脚２１、中央脚２２及び中間脚２１が順に配列されることで、中央部支持脚２６が構成されている。この中央部支持脚２６は、中間脚２１、中央脚２２及び中間脚２１の脚列と、同じ配列の脚列とが並設された二列の脚列から構成されている。一方、第１側部支持脚２４は、隅部脚２０、中間脚２１、及び隅部脚２０が順に列をなす一列の脚列から構成され、第２側部支持脚２５も同様に一列の脚列から構成されている。このように中央部支持脚２６を構成する支持脚１３の本数は、第１側部支持脚２４を構成する支持脚１３の本数及び第２側部支持脚２５を構成する支持脚１３の本数よりも多く設定されている。これにより、中央部支持脚２６の先端面の面積は、第１側部支持脚２４の先端面の面積よりも大きく且つ第２側部支持脚２５の先端面の面積よりも大きくなるように構成されている。本実施形態では、中央部支持脚２６の先端面の面積は、第１側部支持脚２４（第２側部支持脚２５）の面積の略二倍に設定されている。なお、各側部支持脚２４、２５及び中央部支持脚２６の先端面の面積は、それら支持脚２４、２５及び２６の先端壁における貫通孔の有無には影響しない。すなわち、先端面の面積とは、先端壁２３ａに貫通孔が存在しないと仮定した場合の先端壁２３ａの面積に該当する。
【００１９】
また、第１側部支持脚２４と中央部支持脚２６との間隔は、第１側部支持脚２４の基端部分の幅よりも広く設定されることで、構造部材１１の大型化及び軽量化が図られている。
【００２０】
上述したように第１側部支持脚２４及び第２側部支持脚２５は、複数の支持脚１３から構成されている。そして構造部材１１は、第１側部支持脚２４を構成する中間脚２１の間と第２側部支持脚２５を構成する中間脚２１の間とを通じる第１分割線２８によって平面を基準として２つの領域に区画されている。このため、構造部材１１は第１分割線２８に沿って分割することで略同一形状の二つの分割部材として使用することができる。
【００２１】
一方、中央部支持脚２６は、中間脚２１、中央脚２２及び中間脚２１の一列と同じ配列の一列とから構成されている。そして構造部材１１は、それら列間を通じる第２分割線２９によって平面を基準として２つの領域に区画されている。このため、構造部材１１は第２分割線２９に沿って分割することで略同一形状の二つの分割部材として使用することができる。本実施形態の構造部材１１は、最大で四つの分割部材として使用することができる。
【００２２】
第１分割線２８及び第２分割線２９で示した部位に、スリットを形成したり、薄肉板状に形成したりすることで、その部位を切断し易い構成にすることができる。こうした場合、構造部材１１を上述した分割部材に分割することが容易である。
【００２３】
第１側部支持脚２４を構成する隅部脚２０と中間脚２１との間において、基板１６の裏面には側面視四角形状の制限部材３０が立設されている。第２側部支持脚２５を構成する隅部脚２０と中間脚２１との間においても、略同一形状の制限部材３０が立設されている。これら制限部材３０は隅部脚２０と中間脚２１との間隙を通じる水の流れを制限する。また、中央部支持脚２６を構成する中間脚２１と中央脚２２との間においても、略同一形状の制限部材３０が立設され、これら制限部材３０は、中間脚２１と中央脚２２との間隙を通じる水の流れを制限する。なお、これら制限部材３０は、基板１６の表面に開口する中空状をなすとともに基板１６と一体に成形されている。また、制限部材３０は、基端部から先端部に向かうにしたがって幅及び厚さが小さくなるように形成されている。
【００２４】
制限部材３０を、その基端から先端までの長さと支持脚１３の長さとが略同一となるように形成した場合には、構造部材１１の裏面同士を重ね合わせるようにして積み上げた際に、制限部材３０の先端面同士が当接されるようになる。このように構成した場合、上方からの荷重に対する耐荷重性が高まる。
【００２５】
図１（ｂ）に示すように、第１側部支持脚２４と中央部支持脚２６との間に位置する基板１６の裏面と、支持脚１３及び制限部材３０の側面との境界部分には、その境界部分を塞ぐように傾斜する傾斜面３１が形成されている。第２側部支持脚２５と中央部支持脚２６との間に位置する基板１６の裏面と、支持脚１３及び制限部材３０の側面との境界部分にも同様に、その境界部分を塞ぐように傾斜する傾斜面３１が形成されている。
【００２６】
次に、本実施形態の構造部材１１の使用状態について説明する。
水貯留槽の設置作業時において、図２に示すように構造部材１１を積み上げる際には、支持脚１３の先端面同士を突き合わせるようにして嵌合部２３を嵌合させる。こうした構造部材１１の積み上げに際して、作業員は、所定の位置に配置した構造部材１１上を歩行しつつ、さらにその構造部材１１上に新たな構造部材１１を積み上げる。このとき、積み上げを終えた構造部材１１がずれるという不具合は、嵌合部２３の嵌合によって抑制される。
【００２７】
また、各支持脚１３は同形状をなすとともに、中央部支持脚２６を構成する支持脚１３の本数は、第１側部支持脚２４を構成する支持脚１３の本数及び第２側部支持脚２５を構成する支持脚１３の本数よりも多く設定されている。すなわち、中央部支持脚２６の先端面の面積は、第１側部支持脚２４の先端面の面積よりも大きく且つ第２側部支持脚２５の先端面の面積よりも大きいため、こうした中央部支持脚２６によって、基台１２の中央部は安定して支持され易くなる。このため、単一の構造部材１１上に作業員が乗った際において、構造部材１１の中央部分における過剰な沈み込みが抑制される。
【００２８】
このように構造部材１１上に新たな構造部材１１を積み上げる作業が繰り返されることで、積層構造体が形成される。ここで、図３に示すように、本実施形態の構造部材１１は、一対の構造部材１１を第１及び第２側部支持脚２５が隣り合うようにして配置して、それら構造部材１１に跨って構造部材１１を積み上げることもできる。このように積み上げて構成された積層構造体では、支持脚１３の嵌合を利用して一対の構造部材１１を別の構造部材１１で連結する構造となるため、積層構造体の安定性を高めることができる。また、上述したように第１及び第２側部支持脚２５を構成する中間脚２１は、それぞれ一対設けられている。このため、図４に示すように四個の構造部材１１に跨って構造部材１１を積み上げることもできる。
【００２９】
図３及び図４に示されるように構造部材１１を積み上げる場合には、上段に配置された構造部材１１の周囲には、構造部材１１を分割した分割部材を配置することで、ブロック状の積層構造体を形成することができる。図３の態様では、二分割した分割部材を上段に配置された構造部材１１の両隣に配置させることでブロック状の積層構造体を形成することができる。また、図４の態様では、二分割した分割部材を上段に配置された構造部材１１の周囲において合計６個配置させることでブロック状の積層構造体を形成することができる。
【００３０】
一方、基台１２の表面は、基板１６の枠とリブ１７とによって面一となるように形成されているため、構造部材１１の表面同士を重ね合わせるようにして構造部材１１を積み上げるに際しては、基板１６の枠同士、及びリブ１７同士を当接させることができる。こうした当接によって、積層構造体について、耐荷重性を向上することができるとともに、安定化を図ることができる。なお、構造部材１１の表面同士を重ね合わせるようにして構造部材１１を積み上げるに際しては、隣接して配置される一対又は四つの構造部材１１に跨って構造部材１１を積み上げることができる。
【００３１】
そして、積層構造体を設置した水貯留槽上の整地等が行われることで、水貯留槽の設置が完了する。なお、水貯留槽には、槽内に水を流入するための流入管が水貯留槽の上部又は下部に接続されている。また、槽内から水を排出させる排出管が水貯留槽の下部に接続されている。また、必要に応じて水貯留槽内の水を強制的に排出させるためにポンプを設けてもよい。
【００３２】
こうした水貯留槽内に流入する水には、土砂が含まれていることが多く、水貯留槽内に流入した土砂は、積層構造体の最下段に堆積する。積層構造体の最下段を構成する構造部材１１は、基板１６の裏面を上方に向けて配置されている。このため、基板１６の裏面上に土砂が堆積し易く、所定の期間をおいて堆積した土砂を除去する作業が必要となる。土砂を除去するには、高圧水流を利用して基板１６の両側縁に沿った方向へ土砂を洗い出す。具体的には、自走可能な高圧洗浄機を用いて積層構造体を洗浄する。高圧洗浄機は、第１側部支持脚２４と中央部支持脚２６との間に位置する基板１６の裏面上を自走可能に構成されている。こうした高圧洗浄機を基板１６の両側縁に沿った方向へ走行させると、土砂は高圧洗浄機の走行する方向とは反対の方向へ洗い出される。このとき、基板１６の裏面には、傾斜面３１が形成されているため、高圧洗浄機のノズルが基板１６の裏面と支持脚１３の基端との境界部位に引っ掛かるという不具合を抑制することができる。基板１６の裏面に堆積する土砂は傾斜面３１によって中央に寄せ集められ、そうした土砂を効率よく取り除くことができる。
【００３３】
本実施形態によって発揮される効果について、以下に記載する。
（１）  積み上げを終えた構造部材１１がずれるという不具合は、各側部支持脚２４、２５及び中央部支持脚２６の嵌合によって抑制される。また、中央部支持脚２６の先端面の面積は、第１側部支持脚２４の先端面の面積よりも大きく且つ第２側部支持脚２５の先端面の面積よりも大きいため、こうした中央部支持脚２６によって、基台１２の中央部は安定して支持され易くなる。このため、単一の構造部材１１上に作業員が乗った際において、構造部材１１の中央部分における過剰な沈み込みが抑制される。従って、構造部材１１を大型化及び軽量化した場合であっても、所定の位置に配置した構造部材１１の安定性を高めることが容易である。よって、積層構造体の設置作業を円滑に行うことのできる構造部材１１が提供される。また、図２に示すように構造部材１１を、その両側部を合わせるようにして積み上げる際に、各側部支持脚２４、２５と、中央部支持脚２６との間から嵌合部２３を視認することができるため、嵌合部２３同士が確実に嵌合されているか否かを確認することができる。
【００３４】
（２）  支持脚１３は、基台１２の表面に開口する有底筒状をなすとともに基端部から先端部に向かうにしたがって縮径する四角錐台状に形成されている。この構成によれば、構造部材１１の輸送時、保管時等において、構造部材１１の表面に対して、その構造部材１１と異なる構造部材１１の裏面を合わせるようにして積み上げるに際して、基台１２の表面の開口から支持脚１３を挿入することができる。すなわち、ネスティング可能な構成であるため、複数の構造部材１１の基台１２同士を支持脚１３の長さよりも接近させた状態として輸送、保管等を行うことができる。従って、輸送時、保管時等において、構造部材１１の占める容量を小さくすることができる。また、各側部支持脚２４、２５と、中央部支持脚２６との間にフォークリフトのフォークを挿入可能に構成することもできるため、フォークリフトを用いて効率よく運搬することもできる。
【００３５】
（３）  中央部支持脚２６は、中間脚２１、中央脚２２及び中間脚２１の脚列と、同じ配列の脚列とが並設された二列の脚列から構成されている。図３に示すように、本実施形態の構造部材１１は、一対の構造部材１１を第１及び第２側部支持脚２５が隣り合うようにして配置して、それら構造部材１１に跨って構造部材１１を積み上げることもできる。このとき、積み上げる構造部材１１の中央部支持脚２６の嵌合部２３は、前記一対の構造部材１１において、隣り合う第１及び第２側部支持脚２５の嵌合部２３のいずれにも嵌合するように構成されている。このように積み上げて構成された積層構造体では、支持脚１３の嵌合を利用して一対の構造部材１１を別の構造部材１１で連結する構造となるため、積層構造体の安定性を高めることができる。
【００３６】
（４）  構造部材１１は、第１側部支持脚２４を構成する中間脚２１の間と第２側部支持脚２５を構成する中間脚２１の間とを通じる第１分割線２８によって平面を基準として略同一形状をなす２つの領域に区画されている。このため、構造部材１１は第１分割線２８に沿って分割することで略同一形状の二つの分割部材として使用することができる。図３に示すように、隣接して配置された状態の構造部材１１を跨ぐようにして別の構造部材１１を積み上げることで、積層構造体の強度を高めるに際して、積み上げた構造部材１１に隣接する部位おいて、分割部材を配置することができる。
【００３７】
（５）  積層構造体の土砂を除去するには、高圧水流を利用して基台１２の両側縁に沿った方向へ土砂を洗い出す方法が有効である。このとき、基台１２の裏面には、支持脚１３間の水の流れを制限する制限部材３０が立設されているため、基台１２の両側縁に直交する方向へ水が流れることが制限される。このため、基台１２の両側縁に沿った方向へ土砂が導かれ易くなるため、積層構造体から土砂を効率的に洗い出すことが可能である。
【００３８】
なお、前記実施形態を次のように変更して構成してもよい。
・  前記第１側部支持脚２４は、隅部脚２０、中間脚２１及び隅部脚２０から構成されている。第１側部支持脚２４を、それら隅部脚２０、中間脚２１及び隅部脚２０が一体化した形状に形成してもよい。第２側部支持脚２５も同様に、隅部脚２０、中間脚２１及び隅部脚２０が一体化した形状に形成してもよい。
【００３９】
・  前記中央部支持脚２６は、中間脚２１、中央脚２２及び中間脚２１から構成されている。中央部支持脚２６を、それら中間脚２１、中央脚２２及び中間脚２１が一体化した形状に形成してもよい。つまり、側部支持脚２４、２５の嵌合を阻害しない範囲で、中央部支持脚２６の外周寸法を適宜設定することにより、中央部支持脚２６の先端面の面積を、第１側部支持脚２４の先端面の面積よりも大きく且つ第２側部支持脚２５の先端面の面積よりも大きく設定することで、上記（１）に記載した作用効果を得ることもできる。
【００４０】
・  前記第１側部支持脚２４の先端面の面積と、第２側部支持脚２５の先端面の面積とは異なるように構成してもよい。
・  前記中央部支持脚２６の嵌合部２３の形状と、第１側部支持脚２４の嵌合部２３の形状又は第２側部支持脚２５の嵌合部２３の形状とを異なるように構成してもよい。
【００４１】
・  前記支持脚１３の形状を、三角錐台状、六角錐台状等の角錐台状の他に、円錐台状に変更してもよい。
・  前記支持脚１３の筒部分を段差状に形成することで、支持脚１３を基端部から先端部に向かうにしたがって縮径するように形成してもよい。
【００４２】
・  前記支持脚１３の内部にリブを形成することで、支持脚１３の強度を高めることもできる。この場合、基板１６の表面における支持脚１３の開口から、別の構造部材１１の支持脚１３が挿入可能にリブを形成することで、ネスティング可能に構造部材１１を構成することが好ましい。
【００４３】
・  前記支持脚１３の側壁等に、積層構造体としての強度を維持できる範囲において貫通孔を設けてもよい。
・  前記基台１２の形状を、平面八角形状等の形状に変更してもよい。
【００４４】
・  前記制限部材３０の形状は特に限定されず、側面視三角形状等の形状に変更してもよい。さらに、制限部材３０を省略して構造部材１１を構成してもよい。
・  水貯留槽において、積層構造体と土壌との境界部分には、コンクリート製の仕切壁、樹脂製の仕切壁、防水シート等を配置させることができる。
【００４５】
・  前記構造部材１１は、水貯留槽内の水を水貯留槽の壁から土壌へ浸透させる機能を有する水貯留槽に適用してもよい。すなわち、水貯留槽とは、少なくとも水を貯留する機能を有する槽であることを示し、水を貯留する機能に加えて水を土壌に浸透させる機能を有する水貯留槽を含む。こうした水貯留槽の場合、積層構造体と土壌との間に水浸透シートを配置させることで、その水浸透シートを通じた水は土壌に浸透される。
【００４６】
・  前記構造部材１１は、雨水を貯留して水害を防止する水貯留槽に限らずに、農業用水の水貯留槽、防火用水用の水貯留槽、噴水用の水を貯留する水貯留槽等に適用することもできる。
【００４７】
次に、上記実施形態から把握できる技術的思想について以下に記載する。
・  前記第１側部支持脚と中央部支持脚との間隔は、第１側部支持脚の基端部分の幅よりも広く設定されている構造部材。この構成によれば、構造部材の大型化及び軽量化を容易に実現することができる。
【００４８】
・  前記基台には、その表面から突出する嵌合凸部が所定箇所に複数形成されるとともに、嵌合凸部の近傍には、同嵌合凸部が嵌合可能な形状をなす嵌合凹部が形成されている構造部材。この構成によれば、基台の表面側において構造部材１１がずれるという不具合を抑制することができる。
【図面の簡単な説明】
【００４９】
【図１】（ａ）及び（ｂ）は、本実施形態における水貯留槽用の構造部材を示す斜視図。
【図２】積み上げた状態の構造部材を示す斜視図。
【図３】積み上げた状態の構造部材を示す斜視図。
【図４】積み上げた状態の構造部材を示す斜視図。
【符号の説明】
【００５０】
１１…構造部材、１２…基台、１３…支持脚、１４…第１側部、１５…第２側部、２３…嵌合部、２４…第１側部支持脚、２５…第２側部支持脚、２６…中央部支持脚。
【図１】
2008231681.tif 000003
【図２】
2008231681.tif 000004
【図３】
2008231681.tif 000005
【図４】
2008231681.tif 000006